(57)【要約】【課題】  瓶容器を収納する箱内において、瓶容器に貼ったラベルに損傷が生じることを防止可能なラベルの損傷防止具の提供。【解決手段】  段ボール箱１の内壁に沿って設置された第１の緩衝部１６と、段ボール箱１内で互いに隣り合う瓶容器５どうしの間に設置された第２の緩衝部２７と、により、ラベルの損傷防止具１５を形成し、瓶容器５の胴部６に接触する第１の緩衝部１６の面内において、瓶容器５に貼られたラベル１１と対向する部分をくりぬき、瓶容器５の胴部６に接触する第２の緩衝部２７の面内において、瓶容器５に貼られたラベル１１と対向する部分をくりぬく。【選択図】  図４
0003168186.tif 000002
【実用新案登録請求の範囲】
【請求項１】
ラベルが胴部に貼られた瓶容器を収容する箱内で使用するラベルの損傷防止具であって、
瓶容器の胴部と対向する箱内の内壁に沿って設置される緩衝部を有し、
瓶容器の胴部に接触する前記緩衝部の面内において、瓶容器に貼られたラベルと対向する部分が、くりぬかれていることを特徴とするラベルの損傷防止具。
【請求項２】
ラベルが胴部に貼られた瓶容器を収容する箱内で使用するラベルの損傷防止具であって、
瓶容器の胴部と対向する箱内の内壁に沿って設置される緩衝部を有し、
瓶容器の胴部に接触する前記緩衝部の面内において、瓶容器に貼られたラベルと対向する部分が、他の部分より低く形成されていることを特徴とするラベルの損傷防止具。
【請求項３】
ラベルが胴部に貼られた瓶容器を複数本収容する箱内で使用するラベルの損傷防止具であって、
瓶容器の胴部と対向する箱内の内壁に沿って設置される第１の緩衝部と、箱内で互いに隣り合う瓶容器どうしの間に設置される第２の緩衝部と、を有し、
瓶容器の胴部に接触する前記第１の緩衝部の面内において、瓶容器に貼られたラベルと対向する部分が、くりぬかれており、
瓶容器の胴部に接触する前記第２の緩衝部の面内において、瓶容器に貼られたラベルと対向する部分が、くりぬかれていることを特徴とするラベルの損傷防止具。
【請求項４】
ラベルが胴部に貼られた瓶容器を複数本収容する箱内で使用するラベルの損傷防止具であって、
瓶容器の胴部と対向する箱内の内壁に沿って設置される第１の緩衝部と、箱内で互いに隣り合う瓶容器どうしの間に設置される第２の緩衝部と、を有し、
瓶容器の胴部に接触する前記第１の緩衝部の面内において、瓶容器に貼られたラベルと対向する部分が、他の部分より低く形成されており、
瓶容器の胴部に接触する前記第２の緩衝部の面内において、瓶容器に貼られたラベルと対向する部分が、他の部分より低く形成されていることを特徴とするラベルの損傷防止具。
【請求項５】
ラベルが胴部に貼られた瓶容器を複数本収容する箱内で使用するラベルの損傷防止具であって、
瓶容器の胴部と対向する箱内の内壁に沿って設置される第１の緩衝部と、箱内で互いに隣り合う瓶容器どうしの間に設置される第２の緩衝部と、を有し、
瓶容器の胴部に接触する前記第１の緩衝部の面内と、瓶容器の胴部に接触する前記第２の緩衝部の面内と、のうちのいずれか一方の面内において、瓶容器に貼られたラベルと対向する部分が、くりぬかれており、他方の面内において、瓶容器に貼られたラベルと対向する部分が、この面内の他の部分より低く形成されていることを特徴とするラベルの損傷防止具。
【考案の詳細な説明】
【技術分野】
【０００１】
本考案は、ラベルが胴部に貼られた瓶容器を収容する箱内で使用するラベルの損傷防止具に関する。
【背景技術】
【０００２】
飲料をはじめとして様々なものが瓶容器に詰められて市場に流通している。工場で瓶容器に詰められた商品は、段ボール箱等の箱に入れられて工場から出荷されることが多い。瓶容器を段ボール箱等に入れて出荷することにより、搬送中における瓶容器の破損が防止され、取り扱いが容易化される。また、取り扱いの効率化を図るために、箱の中には複数本の瓶容器を入れることが多い。
【０００３】
瓶容器を収容するための箱が、これまでに数多く提唱されている。かかる箱の一例として、瓶容器を収容する箱本体と、この箱本体に連接し、この箱本体の開口部を覆う蓋部材とを１枚の段ボールにより形成して成り、箱本体が、パッキンと緩衝部材を一体的に設けている箱がある（特許文献１を参照）。
瓶容器を収容するための箱においては、箱に入れられた瓶容器の表面が箱の内壁等に接触している。
【先行技術文献】
【特許文献】
【０００４】
【特許文献１】特開２００２−１５４５２８号公報
【考案の概要】
【考案が解決しようとする課題】
【０００５】
通常、飲料等を詰めた瓶容器には、その商品名を印刷したラベルが貼られている。瓶容器を入れた箱を搬送する際、瓶容器の表面が箱の内壁等と擦れあってしまう。この結果、瓶容器に貼ったラベルに擦り傷等が発生しやすくなり、場合によってはラベルが破れてしまう。ラベルに擦り傷や破れ傷が存在していると、その商品価値が低下し、消費者がその商品の購入を嫌がることにもなりかねない。
本考案は、上記問題を解決するものであり、その目的とするところは、瓶容器を収納する箱内において、瓶容器に貼ったラベルに損傷が生じることを防止可能なラベルの損傷防止具を提供することである。
【課題を解決するための手段】
【０００６】
本考案は、その課題を解決するために以下のような構成をとる。請求項１の考案に係るラベルの損傷防止具は、ラベルが胴部に貼られた瓶容器を収容する箱内で使用するラベルの損傷防止具であって、瓶容器の胴部と対向する箱内の内壁に沿って設置される緩衝部を有し、瓶容器の胴部に接触する前記緩衝部の面内において、瓶容器に貼られたラベルと対向する部分が、くりぬかれている。
【０００７】
ラベルが胴部に貼られた瓶容器を収容する箱内において、瓶容器の胴部は、緩衝部に接触して箱内での動きを抑制され、瓶容器の破損が防止される。また、瓶容器の胴部に接触する緩衝部の面内において、瓶容器に貼られたラベルと対向する部分が、くりぬかれている。このため、ラベルが緩衝部に当たることがなくなり、ラベルの損傷が防止される。
【０００８】
請求項２の考案に係るラベルの損傷防止具は、ラベルが胴部に貼られた瓶容器を収容する箱内で使用するラベルの損傷防止具であって、瓶容器の胴部と対向する箱内の内壁に沿って設置される緩衝部を有し、瓶容器の胴部に接触する前記緩衝部の面内において、瓶容器に貼られたラベルと対向する部分が、他の部分より低く形成されている。
【０００９】
ラベルが胴部に貼られた瓶容器を収容する箱内において、緩衝部が瓶容器の破損を防止する。また、瓶容器の胴部に接触する緩衝部の面内において、瓶容器に貼られたラベルと対向する部分が、他の部分より低く形成されている。このため、ラベルと緩衝部との間には隙間が形成されており、ラベルが緩衝部に当たることがなくなり、ラベルの損傷が防止される。
【００１０】
請求項３の考案に係るラベルの損傷防止具は、ラベルが胴部に貼られた瓶容器を複数本収容する箱内で使用するラベルの損傷防止具であって、瓶容器の胴部と対向する箱内の内壁に沿って設置される第１の緩衝部と、箱内で互いに隣り合う瓶容器どうしの間に設置される第２の緩衝部と、を有し、瓶容器の胴部に接触する前記第１の緩衝部の面内において、瓶容器に貼られたラベルと対向する部分が、くりぬかれており、瓶容器の胴部に接触する前記第２の緩衝部の面内において、瓶容器に貼られたラベルと対向する部分が、くりぬかれている。
【００１１】
ラベルが胴部に貼られた瓶容器を複数本収容する箱内において、瓶容器の胴部は、第１の緩衝部や第２の緩衝部に接触して箱内での動きを抑制され、また、瓶容器どうしがぶつかり合うこともない。したがって、瓶容器の破損が防止される。また、瓶容器の胴部に接触する第１の緩衝部の面内において、瓶容器に貼られたラベルと対向する部分が、くりぬかれており、瓶容器の胴部に接触する第２の緩衝部の面内においても、瓶容器に貼られたラベルと対向する部分がくりぬかれている。このため、このラベルが第１の緩衝部や第２の緩衝部に当たることがなくなり、ラベルの損傷が防止される。
【００１２】
請求項４の考案に係るラベルの損傷防止具は、ラベルが胴部に貼られた瓶容器を複数本収容する箱内で使用するラベルの損傷防止具であって、瓶容器の胴部と対向する箱内の内壁に沿って設置される第１の緩衝部と、箱内で互いに隣り合う瓶容器どうしの間に設置される第２の緩衝部と、を有し、瓶容器の胴部に接触する前記第１の緩衝部の面内において、瓶容器に貼られたラベルと対向する部分が、他の部分より低く形成されており、瓶容器の胴部に接触する前記第２の緩衝部の面内において、瓶容器に貼られたラベルと対向する部分が、他の部分より低く形成されている。
【００１３】
ラベルが胴部に貼られた瓶容器を複数本収容する箱内において、第１の緩衝部と第２の緩衝部とが、瓶容器の破損を防止する。また、瓶容器の胴部に接触する第１の緩衝部の面内において、瓶容器に貼られたラベルと対向する部分が、他の部分より低く形成されており、瓶容器の胴部に接触する第２の緩衝部の面内においても、瓶容器に貼られたラベルと対向する部分が、他の部分より低く形成されている。このため、ラベルと第１の緩衝部との間には隙間が形成され、ラベルと第２の緩衝部との間にも隙間が形成され、ラベルが第１の緩衝部や第２の緩衝部に当たることがなくなり、ラベルの損傷が防止される。
【００１４】
請求項５の考案に係るラベルの損傷防止具は、ラベルが胴部に貼られた瓶容器を複数本収容する箱内で使用するラベルの損傷防止具であって、瓶容器の胴部と対向する箱内の内壁に沿って設置される第１の緩衝部と、箱内で互いに隣り合う瓶容器どうしの間に設置される第２の緩衝部と、を有し、瓶容器の胴部に接触する前記第１の緩衝部の面内と、瓶容器の胴部に接触する前記第２の緩衝部の面内と、のうちのいずれか一方の面内において、瓶容器に貼られたラベルと対向する部分が、くりぬかれており、他方の面内において、瓶容器に貼られたラベルと対向する部分が、この面内の他の部分より低く形成されている。
ラベルが胴部に貼られた瓶容器を複数本収容する箱内において、第１の緩衝部と第２の緩衝部とが瓶容器の破損を防止する。また、ラベルが第１の緩衝部や第２の緩衝部に当たることがなく、ラベルの損傷が防止される。
【考案の効果】
【００１５】
上記のようなラベルの損傷防止具であるので、瓶容器を収納する箱内において、瓶容器に貼ったラベルに損傷が生じることを防止できる。
【図面の簡単な説明】
【００１６】
【図１】ラベルの損傷防止具の説明図であり、（ｉ）は第１の緩衝部の斜視図、（ｉｉ）は第２の緩衝部を形成する板状体の斜視図、（ｉｉｉ）はラベルの損傷防止具の斜視図、（ｉｖ）はラベルの損傷防止具を有する段ボール箱の斜視図である。
【図２】瓶容器の説明図である。
【図３】段ボール箱内におけるラベルの損傷防止具と瓶容器との位置関係の説明図であり、（ｉ）は瓶容器の肩側表面部分の高さにおける段ボール箱の横断面図、（ｉｉ）は瓶容器のラベルが貼られた部分の高さにおける段ボール箱の横断面図、（ｉｉｉ）は瓶容器の底側表面部分の高さにおける段ボール箱の横断面図である。
【図４】段ボール箱内におけるラベルの損傷防止具と瓶容器との位置関係の説明する部分縦断面図である。
【考案を実施するための形態】
【００１７】
本考案の実施の形態を図１から図４を参照しつつ説明する。
図１（ｉｖ）に示すように、段ボール箱１は直方体をなし、上側の蓋をなす面と、下側の底面と、残り４枚の側面と、を有する。段ボール箱１の縦横の長さは同じ寸法であり、上下方向の長さは後述する瓶容器５の高さに対応した寸法であり、立てた状態の瓶容器５を上方から見て縦横に２本ずつ並べて収容可能な容積を有する。
【００１８】
図２及び図４に示すように、瓶容器５は縦長のガラス瓶であり、円筒形の胴部６と、胴部６の上方に連なる肩部９と、肩部９の上方に連なる細長い頸部１０と、を有する。胴部６は、直径Ｌ1の円形断面が上下に連続する円筒形をなす。
胴部６には、周方向に連続する長方形の紙のラベル１１が、貼られている。ラベル１１の上下方向の長さは、胴部６の上下方向の長さよりも短く、胴部６の肩側表面部分７がラベル１１の上側に露出し、胴部６の底側表面部分８がラベル１１の下側に露出している。ラベル１１の最上端と胴部６の最上端との間の上下方向の距離（すなわち、肩側表面部分７の上下方向の長さ）はＬ2である。ラベル１１の最下端と胴部６の最下端との間の上下方向の距離（すなわち、底側表面部分８の上下方向の長さ）はＬ3である。ラベル１１の最上端と最下端との間の上下方向の距離はＬ4である。
【００１９】
図１（ｉｉｉ）に示すように、に示すように、ラベルの損傷防止具１５は、第１の緩衝部１６と第２の緩衝部２７とを有し、第１の緩衝部１６と第２の緩衝部２７とは、ともに厚手の段ボールによって形成されている。
図１（ｉ）、（ｉｉｉ）及び（ｉｖ）に示すように、第１の緩衝部１６は筒状をなし、４枚の四角形の板状体１７からなる。各板状体１７が、第１の緩衝部１６をなす筒の周方向に連続して連なっている。第１の緩衝部１６を上方及び下方から見ると口の字形をなし、口の字形の断面が上下方向に連続している。そして、第１の緩衝部１６の上端と下端がそれぞれ開放している。
【００２０】
各板状体１７は、互いに平行な上縁１８及び下縁１９と、互いに平行な上下方向の２本の縁と、を有する。各板状体１７の大きさは、段ボール箱１の各側面の大きさよりもわずかに小さく、第１の緩衝部１６は段ボール箱１内に隙間なく入る大きさを有する。各板状体１７において、上縁１８の中央と下縁１９の中央との間を結ぶ仮想線が、中心線Ｃ１（図示略）である。
【００２１】
各板状体１７は、それぞれ、２箇所の楕円形にくりぬかれた部分（以下、このくりぬかれた部分のこと「くりぬき部２２」という）を有する。くりぬき部２２をなす楕円形の長軸と、中心線Ｃ１と、は、互いに並行である。くりぬき部２２の楕円形の長軸の長さは、Ｌ4＋２ΔＬである。ΔＬは、Ｌ2よりも短く、また、Ｌ3よりも短い。
１枚の板状体１７において、一方のくりぬき部２２の楕円形の長軸は、その板状体１７の中心線Ｃ１から、（Ｌ1＋Ｔ1）／２だけ、一方の上下方向の縁側に位置し、他方のくりぬき部２２の楕円形の長軸は、その板状体１７の中心線Ｃ１から、（Ｌ1＋Ｔ1）／２だけ、他方の上下方向の縁側に位置する。ここで、Ｔ1とは、後述する板状体２８の厚さである。
【００２２】
くりぬき部２２の最下端と、このくりぬき部２２が形成されている板状体１７の下縁１９と、の間の上下方向の距離は、Ｌ3−ΔＬである。
図１（ｉｉ）から（ｉｖ）に示すように、第２の緩衝部２７は、２枚の四角形の板状体２８からなる。各板状体２８は、互いに平行な上縁２９及び下縁３０と、互いに平行な２本の上下方向の縁３１、３２と、を有する。各板状体２８の厚さは、Ｔ1である（図４を参照）。各板状体１７において、上縁２９の中央と下縁３０の中央との間を結ぶ仮想線が、中心線Ｃ２（図示略）である。
【００２３】
一方の板状体２８は、中心線Ｃ２に沿って上縁２９から下縁３０側に向かって切り込み線３４を有し、他方の板状体２８は、中心線Ｃ２に沿って下縁３０から上縁２９側に向かって切り込み線３５を有する。一方の板状体２８の切り込み線３４の部分が、他方の板状体２８の切り込み線３５に差し込まれており、２枚の板状体２８は一体に組み合わさっている。
【００２４】
第２の緩衝部２７を上方及び下方から見ると十の字形をなし、十の字形の断面が上下方向に連続している。この十の字形の断面において、板状体２８どうしの交点から各板状体２８の先端点までの距離は皆等しい。板状体２８の上下方向の長さは、板状体１７の上下方向の長さと同一であり、板状体２８の左右方向の長さは、板状体１７の左右方向の長さよりもわずかに小さい。
【００２５】
各板状体２８は、それぞれ、２箇所の楕円形にくりぬかれた部分（以下、このくりぬかれた部分のことを「くりぬき部３３」という）を有する。くりぬき部３３をなす楕円形の長軸と、中心線Ｃ２と、は、互いに並行である。くりぬき部３３の楕円形は、くりぬき部２２の楕円形と同一の形と大きさを有している。
１枚の板状体２８において、一方のくりぬき部３３の楕円形の長軸は、その板状体２８の縁３１から、Ｌ1／２だけ縁３２側に位置し、他方のくりぬき部３３の楕円形の長軸は、その板状体２８の縁３２から、Ｌ1／２だけ縁３１側に位置する。
くりぬき部３３の最下端と、このくりぬき部３３が形成されている板状体２８の下縁３０と、の間の上下方向の距離は、Ｌ3−ΔＬである。
【００２６】
図１（ｉｉｉ）及び図３（ｉ）から（ｉｉｉ）に示すように、第２の緩衝部２７が、第１の緩衝部１６がなす筒の内側に、挿入されており、ラベルの損傷防止具１５を上方及び下方から見ると田の字形をなし、田の字形の断面が上下方向に連続している。そして、ラベルの損傷防止具１５が段ボール箱１の中に挿入されている。
段ボール箱１内において、各板状体１７の下縁１９と各板状体２８の下縁３０とが、それぞれ、段ボール箱１内の底面に線接触している。また、第１の緩衝部１６がなす筒の外側面は、段ボール箱１の側面の内側に面接触している。
【００２７】
ラベルの損傷防止具１５は上述した構成を有している。次に、ラベルの損傷防止具１５の作用効果について説明する。
図１（ｉｉｉ）及び図３（ｉ）から（ｉｉｉ）に示すように、段ボール箱１の蓋を開けると、ラベルの損傷防止具１５の上端部分が田の字状に見え、第１の緩衝部１６の外周面と段ボール箱１の内側面との間には隙間がない。ラベルの損傷防止具１５が段ボール箱１内を４つのスペースに区切っている。各スペースに瓶容器５を１本ずつ頸部１０を上にして入れる（図４を参照）。
【００２８】
ラベルの損傷防止具１５が区切る各スペース内において、瓶容器５は、２枚の板状体１７と２枚の板状体２８とが形成する４枚の面によって、その周囲を取り囲まれている。瓶容器５を取り囲む４枚の面上には、くりぬき部２２又はくりぬき部３３が存在している。
各板状体１７のくりぬき部２２よりも上側の部分と、各板状体２８のくりぬき部３３よりも上側の部分と、が、瓶容器５の胴部６の肩側表面部分７に接触する（図３（ｉ）及び図４を参照）。各板状体１７のくりぬき部２２よりも下側の部分と、各板状体２８のくりぬき部３３よりも下側の部分と、が、胴部６の底側表面部分８に接触する（図３（ｉｉｉ）及び図４を参照）。
【００２９】
また、瓶容器５の胴部６に貼られたラベル１１は、くりぬき部２２又はくりぬき部３３と対向する。ラベル１１と板状体１７との間には隙間が存在し、ラベル１１と板状体２８との間にも隙間が存在し、ラベル１１は、板状体１７、板状体２８及び段ボール箱１の内壁と接触しない（図３（ｉｉ）及び図４を参照）。
ラベルの損傷防止具１５が区切る各スペース内に瓶容器５を１本ずつ入れたら、段ボール箱１の蓋を閉める（図４を参照）。瓶容器５は、その上端と下端を段ボール箱１の蓋と底とによって押さえられ、段ボール箱１内での上下方向の動きを抑制される。また、瓶容器５は、胴部６の肩側表面部分７の周囲と底側表面部分８の周囲を、板状体１７と板状体２８とによって押さえられて、段ボール箱１内での横方向の動きが抑制される。この結果、瓶容器５は段ボール箱１内で動くことができず、瓶容器５が破損することが防止される。
【００３０】
また、瓶容器５の胴部６に貼られたラベル１１は、板状体１７、板状体２８及び段ボール箱１の内壁と接触していないので、ラベル１１に擦り傷や破れが生じることもない。
本実施の形態において、６本の瓶容器５を収容する段ボール箱１を例にとって説明したが、段ボール箱１が収容する瓶容器５の本数が６本に限定されないことは勿論である。
【００３１】
収容する瓶容器５の本数に応じて、板状体２８の枚数を増減し、板状体２８どうしを上方から見て格子状に組み合わせて第２の緩衝部２７を形成し、段ボール箱１内をラベルの損傷防止具１５によって、瓶容器５が１本ずつ入るスペースに区切ればよい。そして、瓶容器５の胴部６と対向する各板状体１７に、各板状体１７に対向する瓶容器５の本数に応じた数のくりぬき部２２を形成し、瓶容器５の胴部６と対向する各板状体２８に、各板状体２８に対向する瓶容器５の本数に応じた数のくりぬき部３３を形成すればよい。
【００３２】
また、本実施の形態において、板状体１７がくりぬき部２２を有し、板状体２８がくりぬき部３３を有しているが、代わりに、以下の構成としてもよい。
第１の緩衝部１６をなす筒の内側において、各板状体１７の面上に、くりぬき部２２と同じ大きさと形と位置の楕円形の窪みを形成する。また、第２の緩衝部２７において、各板状体２８の両面上に、くりぬき部３３と同じ大きさと形と位置の楕円形の窪みを形成する。
【００３３】
かかる窪みを形成することによって、瓶容器５の胴部６に接触する第１の緩衝部１６と第２の緩衝部２７緩衝部の各面内において、胴部６に貼られたラベル１１に対向する部分が、他の部分より低く形成される。この結果、ラベル１１は、板状体１７、板状体２８及び段ボール箱１の内壁と接触しない。なお、楕円形の窪みを形成する場合、例えば、楕円形の型により板状体１７や板状体２８を押圧すればよい。
【符号の説明】
【００３４】
１    段ボール箱
５    瓶容器
６    胴部
７    胴部の肩側表面部分
８    胴部の底側表面部分
１１    ラベル
１５    ラベルの損傷防止具
１６    第１の緩衝部
２７    第２の緩衝部
１７、２８    板状体
２２、３３    くりぬき部
【図１】
0003168186.tif 000003
【図２】
0003168186.tif 000004
【図３】
0003168186.tif 000005
【図４】
0003168186.tif 000006